(57)【要約】      （修正有）【課題】複写機、プリンタ装置の小型化、高速化に伴い、電子写真感光体の小径化、周速の早いプロセスに対応可能であり、且つ、耐オゾン性、耐ＮＯｘ性が高く、繰り返し使用しても電気特性の劣化がなく、しかも安定性が高い電子写真感光体を提供する。【解決手段】導電性支持体と、電荷発生層と、電荷移動層とを備え、電荷移動層は、特定のジスチリルトリフェニルアミン構造の電荷移動剤と、下記一般式（II）で表される酸化防止剤と、を含有する。2010271341.tif 000056〔式（II）中、Ａ及びＢは、夫々下記式（ｉ）又は下記式（ii）で表される基である。−ＣＨ２Ｘ式（ｉ）−ＣＨ２ＣＨ２Ｙ式（ii）但し、Ｘ及びＹは夫々芳香族残基を表し、これらは置換基を有していてもよい。〕【選択図】なし【特許請求の範囲】
【請求項１】
導電性支持体と、電荷発生層と、電荷移動層とを備え、
前記導電性支持体上に、前記電荷発生層と前記電荷移動層とが、この順に積層されてなり、
前記電荷移動層は、下記一般式（Ｉ）で表される電荷移動剤と、下記一般式（II）で表される酸化防止剤と、を含有することを特徴とする電子写真感光体。
【化１】
2010271341.tif 000042
〔上記式（Ｉ）中、Ｒ８〜Ｒ３３は、水素、炭素数１〜４のアルキル基、炭素数１〜４のアルコキシ基、または、置換もしくは無置換のフェニル基を表し、それぞれ同一であっても、異なっていても良い。〕
【化２】
2010271341.tif 000043
〔上記式（II）中、ＡおよびＢは、それぞれ下記式（ｉ）または下記式（ii）で表される基であり、同一であっても、異なっていてもよい。
−ＣＨ２Ｘ          ・・・式（ｉ）
−ＣＨ２ＣＨ２Ｙ      ・・・式（ii）
但し、ＸおよびＹはそれぞれ芳香族残基を表し、これらは置換基を有していてもよい。〕
【請求項２】
前記電荷移動剤は、下記化学式（Ｉａ）で表される化合物を含有することを特徴とする請求項１に記載の電子写真感光体。
【化３】
2010271341.tif 000044
【請求項３】
前記電荷移動剤は、下記化学式（Ｉｂ）で表される化合物を含有することを特徴とする請求項１に記載の電子写真感光体。
【化４】
2010271341.tif 000045
【請求項４】
前記電荷移動剤は、下記化学式（Ｉｃ）で表される化合物を含有することを特徴とする請求項１に記載の電子写真感光体。
【化５】
2010271341.tif 000046
【請求項５】
前記電荷移動剤は、下記化学式（Ｉｄ）で表される化合物を含有することを特徴とする請求項１に記載の電子写真感光体。
【化６】
2010271341.tif 000047
【請求項６】
前記電荷移動剤は、下記化学式（Ｉｅ）で表される化合物を含有することを特徴とする請求項１に記載の電子写真感光体。
【化７】
2010271341.tif 000048
【請求項７】
前記電荷移動剤は、下記化学式（Ｉｆ）で表される化合物を含有することを特徴とする請求項１に記載の電子写真感光体。
【化８】
2010271341.tif 000049
【請求項８】
前記電荷移動剤は、下記化学式（Ｉｇ）で表される化合物を含有することを特徴とする請求項１に記載の電子写真感光体。
【化９】
2010271341.tif 000050
【請求項９】
前記酸化防止剤は、下記化学式（IIａ）で表される化合物を含有することを特徴とする請求項１に記載の電子写真感光体。
【化１０】
2010271341.tif 000051
【請求項１０】
前記酸化防止剤は、下記化学式（IIｂ）で表される化合物を含有することを特徴とする請求項１に記載の電子写真感光体。
【化１１】
2010271341.tif 000052
【請求項１１】
前記酸化防止剤は、下記化学式（IIｃ）で表される化合物を含有することを特徴とする請求項１に記載の電子写真感光体。
【化１２】
2010271341.tif 000053
【請求項１２】
前記酸化防止剤は、下記化学式（IIｄ）で表される化合物を含有することを特徴とする請求項１に記載の電子写真感光体。
【化１３】
2010271341.tif 000054
【請求項１３】
前記酸化防止剤は、下記化学式（IIｅ）で表される化合物を含有することを特徴とする請求項１に記載の電子写真感光体。
【化１４】
2010271341.tif 000055
【請求項１４】
前記電荷移動層は、ベンゾトリアゾール系紫外線吸収剤を含有することを特徴とする請求項１乃至１３のいずれか１項に記載の電子写真感光体。
【請求項１５】
前記電荷移動層は、フェノール系酸化防止剤を含有することを特徴とする請求項１乃至１４のいずれか１項に記載の電子写真感光体。
【請求項１６】
請求項１乃至１５のいずれか１項に記載の電子写真感光体表面を帯電させる帯電工程と、
前記電子写真感光体上に静電潜像を形成する画像露光工程と、
前記静電潜像を現像してトナー画像を形成する現像工程と、
前記トナー画像を直接記録材に或いは中間転写体を介して記録材に転写する転写工程と、を繰り返し行うことを特徴とする電子写真方法。
【請求項１７】
請求項１乃至１５のいずれか１項に記載の電子写真感光体表面を帯電させる帯電工程と、
前記電子写真感光体上に静電潜像を形成する画像露光工程と、
前記静電潜像を現像してトナー画像を形成する現像工程と、
前記トナー画像を直接記録材に或いは中間転写体を介して記録材に転写する転写工程と、を繰り返し行い、
前記画像露光工程は、ＬＤ或いはＬＥＤによって前記静電潜像の形成を行うことを特徴とするデジタル方式の電子写真方法。
【請求項１８】
請求項１乃至１５のいずれか１項に記載の電子写真感光体と、
該電子写真感光体表面を帯電せしめる帯電手段と、
前記電子写真感光体表面に静電潜像を形成する画像露光手段と、
前記静電潜像を現像してトナー画像を形成する現像手段と、
前記トナー画像を直接記録材に転写する或いは中間転写体を介して記録材に転写する転写手段と、を具備することを特徴とする電子写真装置。
【請求項１９】
請求項１乃至１５のいずれか１項に記載の電子写真感光体と、
該電子写真感光体表面を帯電せしめる帯電手段と、
前記電子写真感光体表面に静電潜像を形成する画像露光手段と、
前記静電潜像を現像してトナー画像を形成する現像手段と、
前記トナー画像を記録材に直接転写する或いは記録材に中間転写体を介して転写する転写手段と、を具備し、
前記画像露光手段は、ＬＤ或いはＬＥＤであることを特徴とするデジタル方式の電子写真装置。
【請求項２０】
前記電子写真感光体、前記帯電手段、前記現像手段および前記転写手段を、それぞれ複数ずつ有するタンデム型であることを特徴とする請求項１８又は１９に記載の電子写真装置。
【請求項２１】
中間転写体と、中間転写手段と、をさらに具備し、
前記転写手段は、前記電子写真感光体上に形成されたトナー画像を前記中間転写体に一次転写して中間転写体上画像を形成し、
前記中間転写手段は、前記中間転写体上画像を前記記録材上に二次転写し、
前記中間転写体上画像が複数色のトナーからなるカラー画像の場合、
前記転写手段は、前記中間転写体上に各色を順次重ね合わせて当該中間転写体上画像を形成し、
前記中間転写手段は、当該中間転写上画像を前記記録材上に一括で二次転写することを特徴とする請求項１８乃至２０の何れか１項に記載の電子写真装置。
【請求項２２】
請求項１乃至１５のいずれか１項に記載の電子写真感光体と、
該電子写真感光体表面を帯電せしめる帯電手段、前記電子写真感光体表面に静電潜像を形成する画像露光手段、前記静電潜像を現像してトナー画像を形成する現像手段、前記電子写真感光体表面をクリーニングするクリーニング手段及び前記トナー画像を記録材に直接転写する或いは記録材に中間転写体を介して転写する転写手段の中から選ばれる少なくとも一つと、を具備することを特徴とする電子写真装置用プロセスカートリッジ。
【発明の詳細な説明】
【技術分野】
【０００１】
本発明は、電子写真方式のプリンタ、複写機などに用いられる電子写真用感光体に係り、特に耐オゾン性、耐ＮＯｘ性に優れた高耐久性を有する電子写真感光体に関するものである。
また本発明は、前記電子写真感光体を使用した電子写真方法、電子写真装置及び電子写真装置用プロセスカートリッジに関するものである。
【背景技術】
【０００２】
電子写真用感光体（以下「感光体」ということもある。）には、暗所で表面電荷を保持する機能、光を受容して電荷を発生する機能、同じく光を受容して電荷を輸送する機能が必要であるが、一つの層でこれらの機能を併せ持ったいわゆる単層型感光体と、主として電荷発生に寄与する層と暗所での表面電荷の保持と光受容時の電荷移動に寄与する層とに機能分離した層を積層したいわゆる機能分離積層型感光体とがある。
【０００３】
これらの感光体を用いた電子写真法による画像形成には、例えばカールソン方式が適用される。この方式での画像形成は、暗所での感光体へのコロナ放電による帯電、帯電された感光体表面上への原稿の文字や絵などの静電潜像の形成、形成された静電潜像のトナーによる現像、現像されたトナー像の紙などの支持体への転写・定着により行われ、トナー像転写後の感光体は除電、残留トナーの除去、光除電などを行った後、再使用に供される。
【０００４】
近年、可撓性、熱安定性、成膜性などの利点により、有機物質を用いた電子写真用感光体が実用化されてきた。最近においては、感光層として電荷発生剤を含有する電荷発生層と電荷移動剤を含有する電荷移動層からなる機能分離積層型感光体が主流となっている。この機能分離積層型感光体の中でも電荷発生剤として有機顔料を蒸着させた層または樹脂中に分散させた層を電荷発生層とし、電荷移動剤として有機低分子化合物を樹脂中に分散させた層を電荷移動層として用いる負帯電型感光体が数多く提案されている。
【０００５】
有機物質は、無機物質にはない多くの長所を持つが、また同時に電子写真用感光体に要求されるすべての特性を充分に満足するものが得られていないのが現状である。即ち繰り返し使用による帯電電位の低下、残留電位の上昇、感度変化等により、画像品質の劣化が引き起こされる。この劣化の原因について全てが解明されているわけではないが、要因の一つとしてコロナ放電帯電器より放出されるオゾン、ＮＯｘなどの酸化性ガス、および大気中に存在するオゾン、ＮＯｘなどの酸化性ガスが感光層に著しいダメージを与えることが分っている。換言すると、これらの酸化性ガスは、感光体中の材料と化学変化を起こしたり、あるいは感光層表面に吸着物を形成したりすることで種々の特性変化をもたらし、例えば帯電電位の低下、残留電位の上昇、表面抵抗の低下による解像力の低下などを引き起こす。その結果著しく画質を低下させ、感光体の寿命を短くしている。これらの対策として感光層に酸化防止剤や安定剤を添加し、劣化を防ぐ提案がなされている。例えば、特許文献１に代表されるようにヒンダードフェノール系酸化防止剤、ヒンダードアミン系酸化防止剤の添加が多数提案されている。他にも、アミン誘導体の添加例として特許文献２、特許文献３、あるいは特許文献４等があげられる。これらの提案は一定の効果を奏していた。
【０００６】
ところが近年、複写機あるいはプリンタの高速化、小型化の要求から感光体には高応答性への要求が高まり、この高応答性に対応するためには、分子量の大きい、あるいはイオン化ポテンシャル（Ｉｐ）値の低い電荷移動剤の使用が必要になる。しかしながら、これらの電荷移動剤は、オゾン、ＮＯｘに対する耐久性が弱く、従来の酸化防止剤等の添加では不十分になった。
【発明の概要】
【発明が解決しようとする課題】
【０００７】
本発明の課題は、複写機、プリンタ装置の小型化、高速化に伴い、電子写真感光体の小径化、周速の速いプロセスに対応可能であり、且つ、耐オゾン性、耐ＮＯｘ性が高く、繰り返し使用しても電気特性の劣化がなく、しかも安定性が高い電子写真感光体、並びに該電子写真感光体を用いた電子写真方法、電子写真装置、および電子写真装置用プロセスカートリッジを提供することである。
【課題を解決するための手段】
【０００８】
本発明者等は、前記課題を解決すべく鋭意研究を重ねた結果、電荷移動層に特定の電荷移動剤と特定の酸化防止剤とを用いた電子写真感光体が、残留電位が極めて低く、耐オゾン性、耐ＮＯｘ性に優れ、繰り返し使用に対しても安定した電子写真特性を示すことにより前記課題を解決することを見出し、本発明を完成するに至った。
即ち、前記課題は、以下の本発明によって解決される。
【０００９】
本発明に係る電子写真感光体は、導電性支持体と、電荷発生層と、電荷移動層とを備え、前記導電性支持体上に、前記電荷発生層と前記電荷移動層とが、この順に積層されてなり、前記電荷移動層は、下記一般式（Ｉ）で表される電荷移動剤と、下記一般式（II）で表される酸化防止剤と、を含有することを特徴とする。
【００１０】
【化１】
2010271341.tif 000002
【００１１】
〔上記式（Ｉ）中、Ｒ８〜Ｒ３３は、水素、炭素数１〜４のアルキル基、炭素数１〜４のアルコキシ基、または、置換もしくは無置換のフェニル基を表し、それぞれ同一であっても、異なっていても良い。〕
【００１２】
【化２】
2010271341.tif 000003
【００１３】
〔上記式（II）中、ＡおよびＢは、それぞれ下記式（ｉ）または下記式（ii）で表される基であり、同一であっても、異なっていてもよい。
−ＣＨ２Ｘ          ・・・式（ｉ）
−ＣＨ２ＣＨ２Ｙ      ・・・式（ii）
但し、ＸおよびＹはそれぞれ芳香族残基を表し、これらは置換基を有していてもよい。〕
【００１４】
また、前記電荷移動剤は、下記化学式（Ｉａ）〜（Ｉｇ）のいずれかを含有することを特徴とする。
【００１５】
【化３】
2010271341.tif 000004
【００１６】
【化４】
2010271341.tif 000005
【００１７】
【化５】
2010271341.tif 000006
【００１８】
【化６】
2010271341.tif 000007
【００１９】
【化７】
2010271341.tif 000008
【００２０】
【化８】
2010271341.tif 000009
【００２１】
【化９】
2010271341.tif 000010
【００２２】
また、前記酸化防止剤は、下記化学式（IIａ）〜（IIｅ）のいずれかを含有することを特徴とする。
【００２３】
【化１０】
2010271341.tif 000011
【００２４】
【化１１】
2010271341.tif 000012
【００２５】
【化１２】
2010271341.tif 000013
【００２６】
【化１３】
2010271341.tif 000014
【００２７】
【化１４】
2010271341.tif 000015
【００２８】
さらに、前記電荷移動層は、ベンゾトリアゾール系紫外線吸収剤を含有することを特徴とする。
【００２９】
またさらに、前記電荷移動層は、フェノール系酸化防止剤を含有することを特徴とする。
【００３０】
そして本発明に係る電子写真方法は、前記電子写真感光体表面を帯電させる帯電工程と、前記電子写真感光体上に静電潜像を形成する画像露光工程と、前記静電潜像を現像してトナー画像を形成する現像工程と、前記トナー画像を直接記録材に或いは中間転写体を介して記録材に転写する転写工程と、を繰り返し行うことを特徴とする。
【００３１】
そしてまた本発明に係る電子写真装置は、前記電子写真感光体と、該電子写真感光体表面を帯電せしめる帯電手段と、前記電子写真感光体表面に静電潜像を形成する画像露光手段と、前記静電潜像を現像してトナー画像を形成する現像手段と、前記トナー画像を直接記録材に転写する或いは中間転写体を介して記録材に転写する転写手段と、を具備することを特徴とする。
【００３２】
そしてさらに本発明に係る電子写真装置用プロセスカートリッジは、前記電子写真感光体と、該電子写真感光体表面を帯電せしめる帯電手段、前記電子写真感光体表面に静電潜像を形成する画像露光手段、前記静電潜像を現像してトナー画像を形成する現像手段、前記電子写真感光体表面をクリーニングするクリーニング手段及び前記トナー画像を記録材に直接転写する或いは記録材に中間転写体を介して転写する転写手段の中から選ばれる少なくとも一つと、を具備することを特徴とする。
【発明の効果】
【００３３】
本発明によれば、高い応答性を持ち、繰り返し使用に対しても安定性を有し、小径化や高速化に対応可能な電子写真感光体、並びに該電子写真感光体を用いた電子写真方法、電子写真装置、および電子写真装置用プロセスカートリッジを提供することができる。
【図面の簡単な説明】
【００３４】
【図１】本発明の実施の形態に係る機能分離型電子写真用感光体を示す断面図である。
【図２】Ｙ型オキシチタニウムフタロシアニンのＸ線回折スペクトル図である。
【図３】本発明に係る電子写真装置の第１の実施の形態における構成を示す断面概略図である。
【図４】本発明に係る電子写真装置の第２の実施の形態における構成を示す断面概略図である。
【図５】本発明に係る電子写真装置の第３の実施の形態における構成を示す断面概略図である。
【図６】本発明に係る電子写真装置の第４の実施の形態における構成を示す断面概略図である。
【図７】本発明に係るプロセスカートリッジの一実施の形態の構成を示す断面概略図である。
【発明を実施するための形態】
【００３５】
〔電子写真感光体〕
本発明に係る電子写真感光体は、導電性支持体と、電荷発生層と、電荷移動層とを備え、前記導電性支持体上に、前記電荷発生層と前記電荷移動層とが、この順に積層されてなり、前記電荷移動層は、下記一般式（Ｉ）で表される電荷移動剤と、下記一般式（II）で表される酸化防止剤と、を含有することを特徴とする。
【００３６】
【化１５】
2010271341.tif 000016
【００３７】
〔上記式（Ｉ）中、Ｒ８〜Ｒ３３は、水素、炭素数１〜４のアルキル基、炭素数１〜４のアルコキシ基、または、置換もしくは無置換のフェニル基を表し、それぞれ同一であっても、異なっていても良い。〕
【００３８】
【化１６】
2010271341.tif 000017
【００３９】
〔上記式（II）中、ＡおよびＢは、それぞれ下記式（ｉ）または下記式（ii）で表される基であり、同一であっても、異なっていてもよい。
−ＣＨ２Ｘ          ・・・式（ｉ）
−ＣＨ２ＣＨ２Ｙ      ・・・式（ii）
但し、ＸおよびＹはそれぞれ芳香族残基を表し、これらは置換基を有していてもよい。〕
【００４０】
次に、本発明に係る電子写真感光体についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００４１】
図１は本発明の実施の形態に係る機能分離型電子写真用感光体を示す断面図である。
３０は導電性支持体、３２は電荷発生層、３３は電荷移動層、３４は電荷発生層３２と電荷移動層３３を合わせた感光層である。３１は接着性の改善などの目的で適宜設けることが出来る下引き層を表す。
【００４２】
また、電荷発生層と電荷移動層を上下逆に積層させた逆積層型電子写真感光体等についても適用することができる。さらに、電荷発生剤と電荷移動剤とを同一層に含有する単層型電子写真感光体にも適用できる。
【００４３】
（導電性支持体）
本発明に用いることができる導電性支持体３０としては、アルミニウム、真鍮、ステンレス鋼、ニッケル、クロム、チタン、金、銀、銅、錫、白金、モリブデン、インジウム等の金属単体やそれらの合金の加工体が挙げられる。形状は、シート状、フイルム状、ベルト状等フレキシブルな形状、または円筒状等のインフレキシブルな形状のいずれのものでもよく、そして、無端、有端を問わない。また、導電性支持体３０の直径は、６０ｍｍ以下、好ましくは３０ｍｍ以下のものが特に有効である。
【００４４】
この中でも、ＪＩＳ３０００系、ＪＩＳ５０００系、ＪＩＳ６０００系等のアルミニウム合金が用いられ、ＥＩ（Ｅｘｔｒｕｓｉｏｎ  Ｉｒｏｎｉｎｇ）法、ＥＤ（Ｅｘｔｒｕｓｉｏｎ  Ｄｒａｗｉｎｇ）法、ＤＩ（Ｄｒａｗｉｎｇ  Ｉｒｏｎｉｎｇ）法、ＩＩ（Ｉｍｐａｃｔ  Ｉｒｏｎｉｎｇ）法等一般的な方法により成形を行なった導電性支持体３０が好ましく、更に、その導電性支持体３０の表面に、ダイヤモンドバイト等による表面切削加工や研磨、陽極酸化処理等の表面処理を行ったもの、またはこれらの加工、処理を行なわない無切削管などいずれのものでもよい。
【００４５】
また、基体（導電性支持体）３０として樹脂を用いる場合、樹脂中に金属粉や導電性カーボン等の導電剤を含有させたり、基体形成用樹脂として導電性樹脂を用いたりすることもできる。
さらに、基体にガラスを用いる場合、その表面に酸化錫、酸化インジウム、ヨウ化アルミニウムで被覆し、導電性を持たせてもよい。
【００４６】
（下引き層）
また、上述のとおり導電性支持体３０上に下引き層３１を形成してもよい。この下引き層３１は接着向上機能、アルミニウム管などの導電性支持体３０からの流れ込み電流を防止するバリヤー機能、アルミニウム管表面の欠陥被覆機能等をもつ。この下引き層３１には、ポリエチレン樹脂、アクリル樹脂、エポキシ樹脂、ポリカーボネート樹脂、ポリウレタン樹脂、塩化ビニル樹脂、酢酸ビニル樹脂、ポリビニルブチラール樹脂、ポリアミド樹脂、ナイロン樹脂、アルキド樹脂、メラミン樹脂等の各種樹脂を用いることができる。これらの下引き層３１は、単独の樹脂で構成してもよく、２種以上の樹脂を混合して構成してもよい。また、下引き層３１中に金属化合物、カーボン、シリカ、樹脂粉末等を分散させることもできる。さらに、特性改善のために各種顔料、電子受容性物質や電子供与性物質等を下引き層３１に含有させることもできる。
【００４７】
下引き層３１の膜厚は、下引き層の配合組成にも依存するが、繰り返し連続使用したときに残留電位が増大するなどの悪影響が出ない範囲で任意に設定できる。一般には０．１μｍ〜５０μｍ、好ましくは０．５μｍ〜２０μｍの範囲がよい。
【００４８】
（電荷発生層）
電荷発生層３２の形成方法としては、各種の方法を使用することができるが、例えばフタロシアニン組成物を電荷発生剤として用い、バインダー樹脂と共に適当な溶媒により分散もしくは溶解した塗布液を、所定の下地となる導電性支持体３０上に塗布し、必要に応じて乾燥させて形成することができる。
【００４９】
本発明に用いることができる電荷発生剤としては、オキシチタニウムフタロシアニンが高感度特性を有することから望ましい。オキシルチタニウムフタロシアニンの中でも図２に示すＸ線回折ピーク図のＹ型オキシチタニウムフタロシアニンが後述する本発明に用いられる電荷移動剤との組み合わせにおいて相性がよい。但し、本発明はオキシルチタニウムフタロシアニンに限定されるものではない。その他、例えば、セレン、セレン−テルル、セレン−砒素、アモルファスシリコン、無金属フタロシアニン、他の金属フタロシアニン顔料、モノアゾ顔料、ジスアゾ顔料、トリスアゾ顔料、ポリアゾ顔料、インジゴ顔料、スレン顔料、トルイジン顔料、ピラゾリン顔料、ペリレン顔料、キナクリドン顔料、多環キノン顔料、ピリリウム塩等を用いることができる。
【００５０】
電荷発生層３２を形成するためのバインダー樹脂としては、ポリカーボネート樹脂、スチレン樹脂、アクリル樹脂、スチレン−アクリル樹脂、エチレン−酢酸ビニル樹脂、ポリプロピレン樹脂、塩化ビニル樹脂、塩素化ポリエーテル、塩化ビニル−酢酸ビニル樹脂、ポリエステル樹脂、フラン樹脂、ニトリル樹脂、アルキッド樹脂、ポリアセタール樹脂、ポリメチルペンテン樹脂、ポリアミド樹脂、ポリウレタン樹脂、エポキシ樹脂、ポリアリレート樹脂、ジアリレート樹脂、ポリスルホン樹脂、ポリエーテルスルホン樹脂、ポリアリルスルホン樹脂、シリコーン樹脂、ケトン樹脂、ポリビニルブチラール樹脂、ポリエーテル樹脂、フェノール樹脂、ＥＶＡ（エチレン・酢酸ビニル）樹脂、ＡＣＳ（アクリロニトリル・塩素化ポリエチレン・スチレン）樹脂、ＡＢＳ（アクリロニトリル・ブタジエン・スチレン）樹脂及びエポキシアリレート等の樹脂がある。これらは単体で用いてもよいが、２種以上混合して使用することも可能である。分子量の異なった樹脂を混合して用いた場合には、硬度や耐摩耗性を改善できて好ましい。
【００５１】
なお、前記バインダー樹脂は電荷発生層３２のみならず、後述する電荷移動層３３におけるバインダー樹脂としても好適に用いることができる。さらに、前記バインダー樹脂は、電荷発生剤と電荷移動剤とを一層構成の感光層に含有する単層型電子写真感光体において、単層の感光層に用いられるバインダー樹脂としても好適に用いることができる。
【００５２】
電荷発生層３２の膜厚は、電荷発生機能を有すればよいので、その厚さは電荷発生剤の光吸収係数により決まり、一般的には３μｍ以下であり、好適には１μｍ以下である。
【００５３】
塗布液の溶媒として使用する溶剤には、メタノール、エタノール、ｎ−プロパノール、ｉ−プロパノール、ブタノール等のアルコール系溶媒、ペンタン、ヘキサン、ヘプタン、オクタン、シクロヘキサン、シクロヘプタン等の飽和脂肪族炭化水素系溶媒、トルエン、キシレン等の芳香族炭化水素系溶媒、ジクロロメタン、ジクロロエタン、クロロホルム、クロロベンゼン等のハロゲン化（塩素化）炭化水素系溶媒、アセトン、メチルエチルケトン、メチルイソブチルケトン、シクロヘキサノン等のケトン系溶媒、ギ酸エチル、ギ酸プロピル、酢酸メチル、酢酸エチル、酢酸プロピル、酢酸ブチル、プロピオン酸メチル等のエステル系溶媒、ジメチルエーテル、ジエチルエーテル、ジメトキシエタン、テトラヒドロフラン（ＴＨＦ）、メトキシエタノール、ジオキソラン、ジオキサン、あるいはアニソール等のエーテル系溶媒、Ｎ，Ｎ−ジメチルホルムアミド、ジメチルスルホキシド等がある。特にその中でも、ケトン系溶媒、エステル系溶媒、エーテル系溶媒、あるいはハロゲン化炭化水素系溶媒が好ましく、これらは単独、あるいは２種以上の混合溶媒として用いることができる。
【００５４】
なお、前記溶媒は電荷発生層３２のみならず、後述する電荷移動層３３における溶媒としても好適に用いることができる。さらに、前記溶媒は、電荷発生剤と電荷移動剤とを一層構成の感光層に含有する単層型電子写真感光体において、単層の感光層に用いられる溶媒としても好適に用いることができる。
【００５５】
（電荷移動層）
電荷移動層３３は、少なくとも後述する電荷移動剤と酸化防止剤を含有するものであり、この電荷移動層３３は、例えば、その下地となる電荷発生層３２上に電荷移動剤とバインダー樹脂を用いて結着することにより形成することができる。
【００５６】
電荷移動層３３の形成方法としては、各種の方法を使用することができるが、通常の場合、電荷移動剤をバインダー樹脂と共に適当な溶媒により分散もしくは溶解した塗布液を、下地となる電荷発生層３２上に塗布し、乾燥させる方法を用いることができる。ここで用いられるバインダー樹脂及び溶媒としては、前述の電荷発生層３２において列挙したものをそのまま用いることができる。
【００５７】
本発明の電子写真感光体には、電荷移動層３３に下記一般式（Ｉ）で表わされる電荷移動剤が含有される。
【００５８】
【化１７】
2010271341.tif 000018
【００５９】
上記式（Ｉ）中、Ｒ８〜Ｒ３３は、水素、炭素数１〜４のアルキル基、炭素数１〜４のアルコキシ基、または、置換もしくは無置換のフェニル基を表し、それぞれ同一であっても、異なっていても良い。
【００６０】
また、本発明の電子写真感光体には、電荷移動層３３に下記一般式（Ｉ’）で表わされる電荷移動剤が含有されることがより好ましい。
【００６１】
【化１８】
2010271341.tif 000019
【００６２】
上記式（Ｉ’）中、Ｒ１〜Ｒ２は、水素、炭素数１〜４のアルキル基、または、炭素数１〜４のアルコキシ基を表し、それぞれ同一であっても、異なっていても良い。
また、前記Ｒ１〜Ｒ２は、各々独立に水素またはメチル基あるいはメトキシ基であることがさらに好ましい。
【００６３】
前記一般式（Ｉ）で表される電荷移動剤は、応答性がよく、耐環境性に優れた本発明に係る電子写真感光体において、電荷移動層３３に含有されるものである。
【００６４】
本発明に係る電子写真感光体に用いられる電荷移動剤としては、前記一般式（Ｉ）で表される電荷移動剤の中で、特に下記化学式（Ｉａ）〜（Ｉｇ）で具体的に示される電荷移動剤は、より応答性に優れるため好ましいが、本発明はこれらに限定されるものではない。
【００６５】
【化１９】
2010271341.tif 000020
【００６６】
【化２０】
2010271341.tif 000021
【００６７】
【化２１】
2010271341.tif 000022
【００６８】
【化２２】
2010271341.tif 000023
【００６９】
【化２３】
2010271341.tif 000024
【００７０】
【化２４】
2010271341.tif 000025
【００７１】
【化２５】
2010271341.tif 000026
【００７２】
この場合、電荷移動層３３中の前記一般式（Ｉ）で表される化合物の含有量は、特に限定されるわけではないが、機械的強度と電荷移動能力のバランスから、樹脂バインダー１重量部に対し、０．３〜２．０重量部とすることが好ましい。前記一般式（Ｉ）で表される化合物の含有量が０．３重量部より少ないと、残留電位が上昇するなど電気特性が悪化する。他方、２．０重量部より多いと、耐摩耗性等の機械特性が低下する。
【００７３】
さらに、前記一般式（Ｉ）で表される化合物（電荷移動剤）と他の電荷移動剤とを混合して用いることもできる。この場合、前記一般式（Ｉ）で表される化合物と他の電荷移動剤の含有比率は重量比で、（前記一般式（Ｉ）で表される化合物）：（他の電荷移動剤）＝５０：５０〜９５：５の範囲が好ましく、より好ましくは７０：３０〜９５：５の範囲である。
【００７４】
他の電荷移動剤としてはポリビニルカルバゾール、ハロゲン化ポリビニルカルバゾール、ポリビニルピレン、ポリビニルインドロキノキサリン、ポリビニルベンゾチオフェン、ポリビニルアントラセン、ポリビニルアクリジン、ポリビニルピラゾリン、ポリアセチレン、ポリチオフェン、ポリピロール、ポリフェニレン、ポリフェニレンビニレン、ポリイソチアナフテン、ポリアニリン、ポリジアセチレン、ポリヘプタジイエン、ポリピリジンジイル、ポリキノリン、ポリフェニレンスルフィド、ポリフェロセニレン、ポリペリナフチレン、ポリフタロシアニン等の導電性高分子化合物を用いることができる。又、低分子化合物として、トリニトロフルオレノン、テトラシアノエチレン、テトラシアノキノジメタン、キノン、ジフェノキノン、ナフトキノン、アントラキノン及びこれらの誘導体、アントラセン、ピレン、フェナントレン等の多環芳香族化合物、インドール、カルバゾール、イミダゾール等の含窒素複素環化合物、フルオレノン、フルオレン、オキサジアゾール、オキサゾール、ピラゾリン、ヒドラゾン、トリフェニルメタン、トリフェニルアミン、エナミン、スチルベン等を使用することができる。また、ポリエチレンオキシド、ポリプロピレンオキシド、ポリアクリロニトリル、ポリメタクリル酸等の高分子化合物にＬｉイオン等の金属イオンをドープした高分子固体電解質等も用いることができる。さらに、テトラチアフルバレン−テトラシアノキノジメタンで代表される電子供与性化合物と電子受容性化合物で形成された有機電荷移動錯体等も用いることができ、これらを１種だけ添加して又は２種以上の化合物を混合して添加して、所望の感光体特性を得ることができる。
【００７５】
さらに本発明の電子写真感光体には、電荷移動層３３に下記一般式（II）で表わされる酸化防止剤が含有される。
【００７６】
【化２６】
2010271341.tif 000027
【００７７】
上記式（II）中、ＡおよびＢは、それぞれ下記式（ｉ）または下記式（ii）で表される基であり、同一であっても、異なっていてもよい。
−ＣＨ２Ｘ          ・・・式（ｉ）
−ＣＨ２ＣＨ２Ｙ      ・・・式（ii）
但し、ＸおよびＹはそれぞれ芳香族残基を表し、これらは置換基を有していてもよい。  また、前記ＸおよびＹは、それぞれフェニル基またはトリル基であることがより好ましい。
【００７８】
前記一般式（II）で表される酸化防止剤において、特に下記化学式（IIａ）〜（IIｅ）で表される酸化防止剤が耐オゾン性および耐ＮＯｘ性が高く、安定性に優れ、好ましい。以下具体的化合物を示すが本発明はこれらに限定されるものではない。
【００７９】
【化２７】
2010271341.tif 000028
【００８０】
【化２８】
2010271341.tif 000029
【００８１】
【化２９】
2010271341.tif 000030
【００８２】
【化３０】
2010271341.tif 000031
【００８３】
【化３１】
2010271341.tif 000032
【００８４】
この場合、電荷移動層３３中の前記一般式（II）で表される酸化防止剤の含有量は、電荷移動剤１重量部に対し、酸化防止剤が０．０１〜０．３０重量部とすることが好ましい。この化合物の含有量が０．０１重量部より少ないと、耐オゾン性、耐ＮＯｘ性が低下し、画像濃度の変化が大きくなるなどの弊害が発生する。他方、０．３０重量部より多いと残留電位の上昇など電気特性が悪化する。
【００８５】
電荷移動層３３の膜厚は実用的に有効な表面電位を維持するためには１０〜５０μｍの範囲が好ましく、より好適には１５〜４０μｍである。
【００８６】
本発明の電子写真感光体を製造するための塗布液には、特性を損なわない範囲で、紫外線吸収剤、ラジカル捕捉剤、軟化剤、硬化剤、架橋剤等を添加して、感光体の特性、耐久性、機械特性の向上を図ることができる。特に、本発明に用いられる前記一般式（II）で表される酸化防止剤と、ベンゾトリアゾール系紫外線吸収剤及び／またはヒンダードフェノール系酸化防止剤とをあわせて使用することにより、耐久性向上に寄与する。
【００８７】
紫外線吸収剤は、２−（５−メチル−２−ヒドロキシフェニル）ベンゾトリアゾール、２−〔２−ヒドロキシ−３，５−ビス（α，α−ジメチルベンジル）フェニル〕−２Ｈ−ベンゾトリアゾール、２−（３，５−ジ−ｔｅｒｔ−ブチル−２−ヒドロキシフェニル）ベンゾトリアゾール、２−（３−ｔｅｒｔ−ブチル−５−メチル−２−ヒドロキシフェニル）−５−クロロベンゾトリアゾール、２−（３，５−ジ−ｔｅｒｔ−ブチル−２−ヒドロキシフェニル）−５−クロロベンゾトリアゾール、２−（３，５−ジ−ｔｅｒｔ−アミル−２−ヒドロキシフェニル）ベンゾトリアゾール、２−（２’−ヒドロキシ−５’−ｔｅｒｔ−オクチルフェニル）ベンゾトリアゾール等のベンゾトリアゾール系、サリチル酸フェニル、サリチル酸−ｐ−ｔｅｒｔ−ブチルフェニル、サリチル酸−ｐ−オクチルフェニル等のサリチル酸系が好ましい。
【００８８】
フェノール系酸化防止剤は、２，６−ジ−ｔｅｒｔ−ブチルフェノール、２，６−ジ−ｔｅｒｔ−４−メトキシフェノール、２−ｔｅｒｔ−ブチル−４−メトキシフェノール、２，４−ジメチル−６−ｔｅｒｔ−ブチルフェノール、２，６−ジ−ｔｅｒｔ−ブチル−４−メチルフェノール、ブチル化ヒドロキシアニソール、プロピオン酸ステアリル−β−（３，５−ジ−ｔｅｒｔ−ブチル−４−ヒドロキシフェニル）、α−トコフェロール、β−トコフェロール、ｎ−オクタデシル−３−（３’−５’−ジ−ｔｅｒｔ−ブチル−４’−ヒドロキシフェニル）プロピオネート等のモノフェノール系、２，２’−メチレンビス（６−ｔｅｒｔ−ブチル−４−メチルフェノール）、４，４’−ブチリデン−ビス−（３−メチル−６−ｔｅｒｔ−ブチルフェノール）、４，４’−チオビス（６−ｔｅｒｔ−ブチル−３−メチルフェノール）、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、テトラキス〔メチレン−３（３，５−ジ−ｔｅｒｔ−ブチル−４−ヒドロキシフェニル）プロピオネート〕メタン等のポリフェノール系等が好ましく、これらの１種若しくは２種以上を同時に感光層３４中に含有することができる。
【００８９】
本発明の電子写真感光体に添加される紫外線吸収剤、酸化防止剤の添加量は、電荷移動剤１００重量部に対して３〜２０重量部とすることが好ましい。
【００９０】
加えて、感光層３４の上に、ポリビニルホルマール樹脂、ポリカーボネート樹脂、フッ素樹脂、ポリウレタン樹脂、シリコーン樹脂等の有機薄膜や、シランカップリング剤の加水分解物で形成されるシロキサン構造体から成る薄膜を成膜して表面保護層を設けてもよく、その場合には、感光体の耐久性が向上するので好ましい。この表面保護層は、耐久性向上以外の他の機能を向上させるために設けてもよい。
【００９１】
〔電子写真装置、電子写真方法〕
本発明に係る電子写真装置は、上述した電子写真感光体と、該電子写真感光体表面を帯電せしめる帯電手段と、前記電子写真感光体表面に静電潜像を形成する画像露光手段と、前記静電潜像を現像してトナー画像を形成する現像手段と、前記トナー画像を記録材に転写する転写手段と、を具備するものであり、さらに必要に応じて適宜選択したその他の手段を具備してなる。その他の手段としては、例えばクリーニング手段、除電手段、リサイクル手段、制御手段等が挙げられる。
【００９２】
＜第１の実施の形態＞
次に、図面を用いて本発明に係る電子写真装置および電子写真方法について、具体例を挙げて詳細に説明する。
図３は、本発明の電子写真装置及び電子写真方法を説明するための概略図であり、本発明に係る電子写真装置の第１の実施の形態における構成を示す概略図である。
図３において、感光体１は上述した本発明に係る電子写真感光体である。感光体１はドラム状の形状をしているが、シート状、エンドレスベルト状のものであっても良い。
図３に示す態様においては、ドラム状の感光体１が不図示の駆動手段により図中反時計周りに回転させられ、感光体１周辺に設けられた各手段により電子写真方法で画像が形成される。以下、電子写真方法の各工程の順に従い説明する。
【００９３】
（帯電手段、帯電工程）
先ず、帯電手段としての帯電チャージャ３により、感光体１表面が一様に帯電させられる。帯電チャージャ３は、感光体１や現像用のトナーの特性に応じて従来公知のものの中から適宜採用すればよく、感光体１表面を所定の極性（正帯電もしくは負帯電）に所定の電位に帯電せしめるものであればいずれも適用可能である。帯電チャージャ３としては例えば、コロトロン、スコロトロン、固体帯電器（ソリッド・ステート・チャージャー）、帯電ローラ等が挙げられる。
【００９４】
（画像露光手段、画像露光工程）
次に、一様に帯電した感光体１の表面には、画像露光手段としての画像露光部５により静電潜像が形成される。画像露光部５としては例えば、蛍光灯、タングステンランプ、ハロゲンランプ、水銀灯、ナトリウム灯、発光ダイオード（ＬＥＤ）、半導体レーザ（ＬＤ）、エレクトロルミネッセンス（ＥＬ）などの発光物全般を用いることができ、発光ダイオードまたは半導体レーザを用いることが好ましい。そして、画像露光の際には所望の波長域の光のみを照射するために、シャープカットフィルター、バンドパスフィルター、近赤外カットフィルター、ダイクロイックフィルター、干渉フィルター、色温度変換フィルターなどの各種フィルターを感光体１と画像露光部５との間に配置することができる。
【００９５】
（現像手段、現像工程）
感光体１の表面に形成された静電潜像は、トナーを用いて、現像手段としての現像ユニット６により現像される。即ち、現像ユニット６により静電潜像が現像されて可視像であるトナー画像が形成される。現像ユニット６は、使用するトナーに応じて従来公知のものの中から適宜採用すればよい。現像ユニット６としては例えば、一成分現像方式、二成分現像方式等が挙げられ、さらに夫々において磁性トナー用、非磁性トナー用のものがある。
【００９６】
（転写手段、転写工程）
さらに、感光体１上に担持されたトナー画像は、感光体１の回転に伴い転写手段としての転写チャージャ１０まで搬送される。転写チャージャ１０としては、前述の帯電チャージャ３と同様のものを適用することができるが、図３に示されるように転写チャージャ１０と分離チャージャ１１を併用したものが効果的である。さらに、転写効率を向上させるために、転写チャージャ１０よりも（感光体１の回転方向に対して）上流側に転写前チャージャ７を設け、トナー画像にプレチャージすることが好ましい。転写チャージャ７としては、前述の帯電チャージャ３と同様のものを適用することができる。
一方、感光体１と転写チャージャ１０とが対向する位置には、記録材としての転写紙９がレジストローラ８等により、当該転写紙９の所望の位置にトナー画像が転写されるように搬送される。
そして、感光体１上のトナー画像と転写紙９とが対向した位置において、転写チャージャ１０によりトナー画像が転写紙９に転写される。
【００９７】
尚、トナー画像が転写された転写紙９は、感光体１に伴って回転することで分離爪１２に到達し、この分離爪１２により感光体１の表面から分離され、さらに説明を省略する搬送、定着の工程を経て電子写真装置外に排出される。
【００９８】
（クリーニング手段、クリーニング工程）
ここで、転写チャージャ１０による転写および分離爪１２による転写紙９の分離の後の感光体１の表面には、転写紙９に転写しきれなかったトナー画像、所謂転写残トナーや紙粉などの付着物が存在する。このため、クリーニング手段であるファーブラシ１４及びクリーニングブレード１５により感光体１表面から付着物を除去する。クリーニング手段としては、上記ファーブラシ１４及びクリーニングブレード１５の他、マグファーブラシなど従来公知のものを用いることができ、さらにはファーブラシのみ或いはクリーニングブレードのみを用いることもできる。尚、クリーニング効率を向上させるために、クリーニング手段に供する前にクリーニング前チャージャ１３によりプレチャージすることが好ましい。クリーニング前チャージャ１３としては、前述の帯電チャージャ３と同様のものを適用することができる。
【００９９】
（除電手段、除電工程）
クリーニング手段により表面から付着物が取り除かれた感光体１は、さらに除電手段である除電ランプ２の光照射により表面が除電されることで一連の電子写真方法による画像形成プロセスを終える。この一連の電子写真方法による画像形成プロセスを繰り返すことで複数の記録材に画像形成することが可能である。
除電手段としては従来公知のものを適用可能であり、例えば除電ランプ２として、前述の画像露光部５と同様のものを適用することができる。
【０１００】
以上説明した一連の電子写真方法による画像形成プロセスは、電子写真感光体１に正（負）帯電を施し、画像露光を行うと、感光体１表面上には正（負）の静電潜像が形成されるものである。これを負（正）極性のトナー（検電微粒子）で現像すれば、ポジ画像が得られるし、また正（負）極性のトナーで現像すれば、ネガ画像が得られる。電子写真感光体１の帯電極性や現像に用いられるトナーの極性は任意であり、いずれのものであってもよい。
【０１０１】
また、画像露光部５に用いた各種の光源は、図３に示される形態に用いられることに限定されるものではなく、他に光照射を併用した転写工程、除電工程、クリーニング工程、或いは前露光などの工程に用いることができる。
【０１０２】
＜第２の実施の形態＞
図４は、本発明に係る電子写真装置の第２の実施の形態における構成を示す概略図である。
感光体２１は少なくとも感光層３４を有しており、駆動ローラ２２ａ，２２ｂにより駆動され、帯電手段である帯電器２３による帯電、画像露光手段である光源２４による画像露光、現像手段である現像（図示せず）、転写手段である転写チャージャ２５を用いる転写、光源２６によるクリーニング前露光、クリーニング手段であるクリーニングブラシ２７によるクリーニング、除電手段である光源２８による除電が繰返し行なわれる。図４においては、感光体２１（勿論この場合は支持体が透光性である）に導電性支持体３０側よりクリーニング前露光の光照射が行なわれる。
【０１０３】
以上の図４に示される電子写真装置を用いて行われる電子写真方法による画像形成プロセスは、本発明における実施形態を例示するものであって、他の実施形態も可能であることは言うまでもない。例えば、図４において導電性支持体３０側よりクリーニング前露光を行っているが、これは感光層３４側から行ってもよいし、また、画像露光、除電光の照射を導電性支持体３０側から行ってもよい。
【０１０４】
一方、光を照射する工程としては、画像露光、クリーニング前露光、除電露光が図示されているが、他に、転写前露光、像露光のプレ露光、及びその他公知の光を照射する工程を設けて、感光体２１に光照射を行うこともできる。
【０１０５】
＜第３の実施の形態＞
更に、本発明を適用したフルカラー電子写真装置として、電子写真方式のプリンタ（以下、単にプリンタという）の一実施形態について説明する。
図５は本発明に係る電子写真装置の第３の実施の形態における構成を示す概略図である。図５において、潜像担持体であるドラム状の感光体５６は、図中反時計回りに回転駆動されながら、その表面がコロトロンやスコロトロンなどを用いる帯電手段である帯電チャージャ５３によって一様帯電させられた後、図示しない画像露光手段であるレーザ光学装置から発せられるレーザ光Ｌの走査を受けて静電潜像を担持する。この走査はフルカラー画像をイエロー、マゼンタ、シアン及びブラックの色情報に分解した単色の画像情報に基づいてなされるため、感光体ドラム５６上にはイエロー、マゼンタ、シアン又はブラックという単色用の静電潜像が形成される。感光体ドラム５６の図中左側には、リボルバ現像ユニット５０が配設されている。これは、回転するドラム状の筺体の中に現像手段であるイエロー現像器、マゼンタ現像器、シアン現像器、ブラック現像器を有しており、回転によって各現像器を感光体ドラム５６に対向する現像位置に順次移動させる。なお、イエロー現像器、マゼンタ現像器、シアン現像器、ブラック現像器は、それぞれイエロートナー、マゼンタトナー、シアントナー、ブラックトナーを付着せしめて静電潜像を現像するものである。感光体ドラム５６上には、イエロー、マゼンタ、シアン、ブラック用の静電潜像が順次形成され、これらはリボルバ現像ユニット５０の各現像器によって順次現像されてイエロートナー像、マゼンタトナー像、シアントナー像、ブラックトナー像となる。
【０１０６】
上記現像位置よりも感光体ドラム５６の回転下流側には中間転写ユニットが配設されている。これは、張架ローラ５９ａ、転写手段たる中間転写バイアスローラ５７、二次転写バックアップローラ５９ｂ、ベルト駆動ローラ５９ｃによって張架している中間転写ベルト５８を、ベルト駆動ローラ５９ｃの回転駆動によって図中時計回りに無端移動させる。感光体ドラム５６上で現像されたイエロートナー像、マゼンタトナー像、シアントナー像、ブラックトナー像は、感光体ドラム５６と中間転写ベルト５８とが接触する中間転写ニップに進入する。そして中間転写バイアスローラ５７からのバイアスの影響を受けながら、中間転写ベルト５８上に重ね合わせて中間転写（一次転写）されて４色重ね合わせトナー像となる。
【０１０７】
回転に伴って中間転写ニップを通過した感光体ドラム５６表面は、クリーニング手段であるドラムクリーニングユニット５５によって転写残トナーがクリーニングされる。ドラムクリーニングユニット５５は、クリーニングバイアスが印加されるクリーニングローラによって転写残トナーをクリーニングするものであるが、ファーブラシ、マグファーブラシ等からなるクリーニングブラシや、クリーニングブレードなどを用いるものであってもよい。
【０１０８】
転写残トナーがクリーニングされた感光体ドラム５６表面は、除電手段である除電ランプ５４によって除電される。除電ランプ５４には、蛍光灯、タングステンランプ、ハロゲンランプ、水銀灯、ナトリウム灯、発光ダイオード（ＬＥＤ）、半導体レーザ（ＬＤ）、エレクトロルミネッセンス（ＥＬ）などが用いられている。また、上記レーザ光学装置の光源には半導体レーザが用いられている。これら発せられる光については、シャープカットフィルター、バンドパスフィルター、近赤外カットフィルター、ダイクロイックフィルター、干渉フィルター、色温度変換フィルターなどの各種フィルターにより、所望の波長域だけを用いるようにしてもよい。
【０１０９】
一方、図示しない給紙カセットから送られてきた記録材である転写紙６０を２つのローラ間に挟み込んでいるレジストローラ対６１は、転写紙６０を中間転写ベルト５８上の４色重ね合わせトナー像に重ね合わせ得るタイミングで中間転写ベルト５８と転写ベルト６２が接触する二次転写ニップに向けて送り込む。中間転写ベルト５８上の４色重ね合わせトナー像は、二次転写ニップ内で二次転写手段である紙転写バイアスローラ６３からの二次転写バイアスの影響を受けて転写紙６０上に一括して二次転写される。この二次転写により転写紙６０上にはフルカラー画像が形成される。フルカラー画像が形成された転写紙６０は、転写ベルト６２によって搬送ベルト６４に送られる。搬送ベルト６４は、転写ユニットから受け取った転写紙６０を定着ユニット６５内に送り込む。定着ユニット６５は、送り込まれた転写紙６０を加熱ローラとバックアップローラとの当接によって形成された定着ニップに挟み込みながら搬送する。転写紙６０上のフルカラー画像は、加熱ローラからの加熱や、定着ニップ内での加圧力の影響を受けて転写紙６０上に定着せしめられる。
【０１１０】
なお、図示を省略しているが、転写ベルト６２や搬送ベルト６４には、転写紙６０を吸着させるためのバイアスが印加されている。また、転写紙６０を除電する紙除電チャージャや、各ベルト（中間転写ベルト５８、転写ベルト６２、搬送ベルト６４）を除電する３つのベルト除電チャージャが配設されている。また、中間転写ユニットは、ドラムクリーニングユニット５５と同様の構成のベルトクリーニングユニットも備えており、これによって中間転写ベルト５８上の転写残トナーをクリーニングする。
【０１１１】
図６は、本発明に係る電子写真装置の第４の実施の形態における構成を示す概略図である。本実施の形態は、中間転写ベルト８７を有するタンデム方式の電子写真装置であり、感光体ドラム８０を各色で共有させるのではなく、各色用の感光体ドラム８０Ｙ、８０Ｍ、８０Ｃ、８０Ｂｋを備えている。また、現像ユニット（現像手段）８２、ドラムクリーニングユニット（クリーニング手段）８５、除電ランプ（除電手段）８３、ドラムを一様帯電せしめる帯電ローラ（帯電手段）８４、バイアスローラ（二次転写手段）８６も、各色用のものを備えている。なお、図６に示したプリンタではドラム一様帯電手段として帯電チャージャ５３を設けていたが、この装置では帯電ローラ８４を設けている。また、中間転写ベルト８７をクリーニングするためのベルトクリーニングユニットとして、ファーブラシ９４が配設されている。
この他、レジストローラ対８８、記録材としての紙８９、二次転写手段である紙転写バイアスローラ９０、転写ベルト９１、搬送ベルト９２及び定着ユニット９３が配設されているが、上述した第３の実施の形態と重複するため説明を省略する。
【０１１２】
タンデム方式では、各色の潜像形成（画像露光工程）や現像を並行して行うことができるため、リボルバ式よりも画像形成速度を遙かに高速化させることができる。
【０１１３】
〔プロセスカートリッジ〕
以上に示すような画像形成装置は、複写装置、ファクシミリ、プリンタ内に固定して組み込んでもよいが、プロセスカートリッジの形でそれらの装置内に組み込んでもよい。プロセスカートリッジとは、感光体２１を内蔵し、この他に帯電手段、画像露光手段、現像手段、転写手段、クリーニング手段及び除電手段から選ばれる少なくとも１つの手段を含んだ１つの装置（部品）である。
【０１１４】
プロセスカートリッジの形状等は多種多様であるが、一般的な例として、図７に示すものが挙げられる。
図７は、本発明に係るプロセスカートリッジの一実施の形態の構成を示す概略図である。
本実施の形態では、電子写真感光体１６と、帯電手段としての帯電チャージャ１７と、画像露光手段としての画像露光部１９と、現像手段としての現像ローラ２０と、クリーニング手段としてのクリーニングブラシ１８とを具備するものである。
【実施例】
【０１１５】
以下、本発明に係る電子写真感光体について実施例を挙げてより具体的に説明する。
（実施例１）
直径２４ｍｍの無切削アルミニウムからなる円筒ドラム（導電性支持体）上に、アルキド樹脂（ベッコライトＭ−６４０１−５０；大日本インキ化学工業社製）とアミノ樹脂（スーパーベッカミンＧ−８２１−６０；大日本インキ化学工業社製）を重量比で６５：３５の割合で混合して混合樹脂を作製し、さらに前記混合樹脂と酸化チタン（ＣＲ−ＥＬ；石原産業社製）を重量比で１：３の割合とし、メチルエチルケトンに溶解して塗布液として、１．５μｍの膜厚で下引き層を形成した。
【０１１６】
次に、図２のＸ線回折角Ｃｕｋα（２θ±０．２度）２７.３度に最大ピークを有するオキシチタニウムフタロシアニン粉末１０ｇをガラスビ−ズと１，３ジオキソラン５００ｍｌにポリビニルブチラール樹脂（ＢＸ−１；積水化学工業社製）１０ｇを溶解した液を加え、サンドミル分散機で２０時間分散し、得られた分散液をろ過してガラスビ−ズを取り去り、電荷発生層用塗布液を作製した。これを前記下引き層上に浸漬塗工し乾燥して、膜厚０．２μｍの電荷発生層を形成した。
【０１１７】
次にバインダー樹脂としてポリカーボネート樹脂（Ｚ−４００；三菱ガス化学社製）と、電荷移動剤として、前記化学式（Ｉａ）で表される化合物と、酸化防止剤として前記化学式（IIａ）で表される化合物と、紫外線吸収剤として下記化学式（Ａ）で表される化合物と、を重量比１．０：１．０：０．１：０．１で用意し、テトラヒドロフランに溶解し、電荷移動層用塗工液を調製した。電荷発生層を形成した基体を該電荷移動層用塗工液に浸漬塗工し、１３０℃で６０分乾燥し膜厚２５．０μｍの電荷移動層を形成し、電子写真感光体を作製した。
【０１１８】
【化３２】
2010271341.tif 000033
【０１１９】
（実施例２）
実施例１で用いた前記化学式（Ｉａ）で表される電荷移動剤に代えて前記化学式（Ｉｂ）で表される電荷移動剤を用い、他は実施例１と同様にして電子写真感光体を作製した。
【０１２０】
（実施例３）
実施例１で用いた前記化学式（Ｉａ）で表される電荷移動剤に代えて前記化学式（Ｉｃ）で表される電荷移動剤を用い、他は実施例１と同様にして電子写真感光体を作製した。
【０１２１】
（実施例４）
実施例１で用いた前記化学式（Ｉａ）で表される電荷移動剤に代えて前記化学式（Ｉｄ）で表される電荷移動剤を用い、他は実施例１と同様にして電子写真感光体を作製した。
【０１２２】
（実施例５）
実施例１で用いた前記化学式（Ｉａ）で表される電荷移動剤に代えて前記化学式（Ｉｅ）で表される電荷移動剤を用い、他は実施例１と同様にして電子写真感光体を作製した。
【０１２３】
（実施例６）
実施例１で用いた前記化学式（Ｉａ）で表される電荷移動剤に代えて前記化学式（Ｉｆ）で表される電荷移動剤を用い、他は実施例１と同様にして電子写真感光体を作製した。
【０１２４】
（実施例７）
実施例１で用いた前記化学式（Ｉａ）で表される電荷移動剤に代えて前記化学式（Ｉｇ）で表される電荷移動剤を用い、他は実施例１と同様にして電子写真感光体を作製した。
【０１２５】
（実施例８）
実施例１において、電荷移動層用塗工液に用いられるバインダー樹脂、前記化学式（Ｉａ）で表される電荷移動剤、前記化学式（IIａ）で表される酸化防止剤及び前記化学式（Ａ）で表される紫外線吸収剤の重量比を、１．０：１．０：０．０１：０．１とし、他は実施例１と同様にして電子写真感光体を作製した。
【０１２６】
（実施例９）
実施例１において、電荷移動層用塗工液に用いられるバインダー樹脂、前記化学式（Ｉａ）で表される電荷移動剤、前記化学式（IIａ）で表される酸化防止剤及び前記化学式（Ａ）で表される紫外線吸収剤の重量比を、１．０：１．０：０．３：０．１とし、他は実施例１と同様にして電子写真感光体を作製した。
【０１２７】
（実施例１０）
実施例１で用いた前記化学式（IIａ）で表される酸化防止剤に代えて前記化学式（IIｂ）で表される酸化防止剤を用い、他は実施例１と同様にして電子写真感光体を作製した。
【０１２８】
（実施例１１）
実施例１で用いた前記化学式（IIａ）で表される酸化防止剤に代えて前記化学式（IIｃ）で表される酸化防止剤を用い、他は実施例１と同様にして電子写真感光体を作製した。
【０１２９】
（実施例１２）
実施例１で用いた前記化学式（IIａ）で表される酸化防止剤に代えて前記化学式（IIｄ）で表される酸化防止剤を用い、他は実施例１と同様にして電子写真感光体を作製した。
【０１３０】
（実施例１３）
実施例１で用いた前記化学式（IIａ）で表される酸化防止剤に代えて前記化学式（IIｅ）で表される酸化防止剤を用い、他は実施例１と同様にして電子写真感光体を作製した。
【０１３１】
（実施例１４）
実施例１において、電荷移動層用塗工液に下記化学式（Ｂ）で表される酸化防止剤をさらに加え、電荷移動層用塗工液に用いられるバインダー樹脂、前記化学式（Ｉａ）で表される電荷移動剤、前記化学式（IIａ）で表される酸化防止剤、前記化学式（Ａ）で表される紫外線吸収剤及び下記化学式（Ｂ）で表される酸化防止剤の重量比を、１．０：１．０：０．１：０．１：０．１とし、他は実施例１と同様にして電子写真感光体を作製した。
【０１３２】
【化３３】
2010271341.tif 000034
【０１３３】
（実施例１５）
実施例１において、電荷移動層用塗工液に、前記化学式（Ａ）で表される酸化防止剤を加えなかったこと以外は実施例１と同様にして電子写真感光体を作製した。
【０１３４】
（比較例１）
実施例１で用いた前記化学式（Ｉａ）で表される電荷移動剤に代えて下記化学式（Ｃ）で表される電荷移動剤を用い、他は実施例１と同様にして電子写真感光体を作製した。
【０１３５】
【化３４】
2010271341.tif 000035
【０１３６】
（比較例２）
実施例１で用いた前記化学式（Ｉａ）で表される電荷移動剤に代えて下記化学式（Ｄ）で表される電荷移動剤を用い、他は実施例１と同様にして電子写真感光体を作製した。
【０１３７】
【化３５】
2010271341.tif 000036
【０１３８】
（比較例３）
実施例１の電荷移動層に前記化学式（IIａ）で表される酸化防止剤を含有させなかった他は実施例１と同様にして電子写真感光体を作製した。
【０１３９】
（比較例４）
実施例１で用いられた前記化学式（IIａ）で表される酸化防止剤に代えて、前記化学式（Ｂ）で表される酸化防止剤を用い、他は実施例１と同様にして電子写真感光体を作製した。
【０１４０】
（比較例５）
実施例１で用いられた前記化学式（IIａ）で表される酸化防止剤に代えて、下記化学式（Ｅ）で表されるアミン系酸化防止剤を用い、他は実施例１と同様にして電子写真感光体を作製した。
【０１４１】
【化３６】
2010271341.tif 000037
【０１４２】
（比較例６）
実施例１で用いられた前記化学式（IIａ）で表される酸化防止剤に代えて、下記化学式（Ｆ）で表されるアミン系酸化防止剤を用い、他は実施例１と同様にして電子写真感光体を作製した。
【０１４３】
【化３７】
2010271341.tif 000038
【０１４４】
（比較例７）
実施例１で用いられた前記化学式（IIａ）で表される酸化防止剤に代えて、下記化学式（Ｇ）で表されるアミン系酸化防止剤を用い、他は実施例１と同様にして電子写真感光体を作製した。
【０１４５】
【化３８】
2010271341.tif 000039
【０１４６】
（感光体評価）
＜簡易測定器での電気特性評価＞
実施例１〜１５及び比較例１〜７で作製した電子写真感光体に、感光ドラム評価装置（ダイナミックモード測定）を使用し、以下の条件で電子写真特性を評価した。
【０１４７】
電子写真感光体評価装置（山梨電子工業社製）を用い、実施例、比較例で作製された電子写真感光体を温度２３℃、湿度５０％の環境下で、スコロトロン方式で感光体の表面電位が約−７００Ｖになるように放電電流を調節しその時の帯電電位を（Ｖ０）とし、電子写真感光体を帯電させ、波長６５０ｎｍの半導体レーザで照射した際、０．１３〜０．１５μＪの露光エネルギー量で感光体の表面電位が約１／２（約−３５０Ｖ）になる様に調整した表面電位を（ＶＨ）とした。また、０．６μＪ／ｃｍ２の露光エネルギー量で露光した時の表面電位を感光体残留電位（ＶＬ）とした。
【０１４８】
上記電子写真感光体をオゾン暴露試験装置（ダイレック社製）でオゾン濃度５ｐｐｍ、暴露時間５日間暴露した。この時の暴露前後の感光体の表面電位（ＶＯ）、感度電位（ＶＨ）、残留電位（ＶＬ）をそれぞれ測定した。除電は波長６６０ｎｍのＬＥＤ（２０μＷ）を用いた。電子写真感光体のドラム回転数は１５０ｒｐｍとし、レーザ光照射してから電位を測定するまでの時間（露光位置から測定位置までの移動時間）は０．０６秒であった。結果を下記表１に示す。
【０１４９】
同様に、電子写真感光体をＮＯｘ暴露試験装置（ダイレック社製）でＮＯ濃度４０ｐｐｍ、ＮＯ２濃度１０ｐｐｍで４日間暴露した。この時の暴露前後の感光体の表面電位（ＶＯ）、感度電位（ＶＨ）、残留電位（ＶＬ）をそれぞれ測定した。除電は波長６６０ｎｍのＬＥＤ（２０μＷ）を用いた。電子写真感光体のドラム回転数は１５０ｒｐｍとし、レーザ光照射してから電位を測定するまでの時間（露光位置から測定位置までの移動時間）は０．０６秒であった。結果を下記表１に示す。
【０１５０】
【表１】
2010271341.tif 000040
【０１５１】
表１において、表面電位Ｖ０、ＶＨの値は初期設定値Ｖ０が７００（−Ｖ）、ＶＨ３５０（−Ｖ）に対し、光照射後の電位変化量が小さいほど優れている。また、ＶＬは値が小さいほど高応答性に優れている。
【０１５２】
＜実機での画像評価（ハーフトーン評価）＞
実施例１〜１５、比較例１〜７で作製した電子写真感光体で初期の感光体とオゾン暴露試験あるいはＮＯｘ暴露試験を行った感光体とを、カラーレーザプリンター（リコー社製：ＳＰ Ｃ２２０）に搭載して、温度２３℃、湿度５０％の常温環境でハーフトーン画像を出力し、初期と暴露後の画像濃度差（マクベス濃度計で測定）ΔＩＤ（ΔＩＤ＝初期ＩＤ−暴露試験後ＩＤ）を比較した結果を下記表２に表す。
【０１５３】
【表２】
2010271341.tif 000041
【０１５４】
実施例１〜１５は、前記一般式（Ｉ）で表される電荷移動剤および、前記一般式（II）で表される酸化防止剤を感光層に添加することにより、高感度、高応答性および耐オゾン性、耐ＮＯｘに優れた電子写真感光体であり、帯電電位、感度電位、残留電位、画像濃度において良好なものであった。実施例８は前記化学式（IIａ）で表される酸化防止剤の添加量が少ない場合であるが、実施例１に比べ表面電位、感度電位が若干劣るものの画像上での濃度差は実用レベルであった。また、実施例９は前記化学式（IIａ）で表される酸化防止剤の添加量が多い場合であるが、ＶＬが多少高目にはなるが、画像濃度においては実施例１と同じレベルであった。
【０１５５】
比較例１、比較例２は、それぞれ異なる電荷移動剤を用いて電子写真感光体を作製したものであるが、Ｖ０、ＶＨの値が高く、高感度、高応答性電子写真感光体の要求に応えることは困難であった。比較例３は前記化学式（IIａ）で表される酸化防止剤を添加することなく電子写真感光体を作製したものであるが、オゾン暴露、ＮＯｘ暴露後のＶ０、ＶＨが著しく低下し、画像濃度変化ΔＩＤも著しく大きな値になる。比較例４〜７はそれぞれ異なる化合物を感光層に添加して電子写真感光体を作製したものであるが、オゾン暴露、ＮＯｘ暴露後のＶ０、ＶＨの低下は小さいが、ＶＬ上昇を示すものもあり、また、画像濃度変化については、比較例３に比べれば変化の程度は小さいが実用に供するレベルではなく、実施例１〜１５に比べ劣る結果となった。
【０１５６】
以上の説明からわかるように、電荷移動層に前記一般式（Ｉ）で表される電荷移動剤と、前記一般式（II）で表される酸化防止剤とを含有した本発明の電子写真感光体は、高応答性であり、耐オゾン性、耐ＮＯｘ性も向上した。
また、この電子写真感光体を用いることにより、電子写真感光体の交換が不要で、かつ高速印刷を実現或いは電子写真感光体の小径化に伴う装置の小型化を実現し、更に繰り返し使用においても高画質画像が安定に得られる電子写真方法、電子写真装置、並びに電子写真用プロセスカートリッジを提供できる。
【符号の説明】
【０１５７】
３０    導電性支持体
３１    下引き層
３２    電荷発生層
３３    電荷移動層
３４    感光層
【先行技術文献】
【特許文献】
【０１５８】
【特許文献１】特開平０１−２３００５５号公報
【特許文献２】特開平０３−１７２８５２号公報
【特許文献３】特開２００２−３３３７３１号公報
【特許文献４】特開平０４−５６８６６号公報
【図１】
2010271341.tif 000057
【図２】
2010271341.tif 000058
【図３】
2010271341.tif 000059
【図４】
2010271341.tif 000060
【図５】
2010271341.tif 000061
【図６】
2010271341.tif 000062
【図７】
2010271341.tif 000063